(57)【要約】      （修正有） 【課題】ロープ又はワイヤーを切断し若しくは縛ることなく、簡単且つ、特別な道具を使用する事なく、ロープ又はワイヤーの長さを調整したり、ヘビ口（輪っか）を作ることができる滑り止め部材を提供する。【解決手段】滑り止め部材１のベース板２は６個以上の貫通孔３及び複数の切り欠き孔を設ける。【選択図】図１
0003167806.tif 000002
【実用新案登録請求の範囲】
【請求項１】
ベース板２の面に、ロープ又はワイヤーを通すための6個以上の貫通孔３及び複数の切り欠き孔４を設けたことを特徴とするロープ又はワイヤーの滑り止め部材。
【請求項２】
前記ベース板２の面又は貫通孔又は切り欠き孔の内面は肌荒し加工を施したことを特徴とする請求項１記載のロープ又はワイヤーの滑り止め部材。
【請求項３】
滑り止め部材は、平面又は波型形状のすべての表面に肌荒し加工を施した事を特徴とする請求項１又は請求項２記載のロープ又はワイヤーの滑り止め部材。
【考案の詳細な説明】
【技術分野】
【０００１】
本発明はロープ又はワイヤーの滑り止め部材に係る物である。
【背景技術】
【０００２】
ロープ及びワイヤーは使用目的に応じて長さを切断したり結んだりして長さを調整する必要がある。特許文献１ではビニール紐及びロープの長さ調整具を用いたビニール紐及びロープの長さ調整手段を開示している。（特許文献１参照）
又ロープの長さ調整する手段としてはロープ自体を切断し若しくはロープを縛るという手法も用いられている。（特許文献２参照）
ロープ及びワイヤーでヘビ口（輪）を作る場合には編みこみをしたり、カシメたりする手法がしられている。
【先行技術文献】
【特許文献】
【０００３】
特許文献１ではビニール紐及びロープの長さ調整具を用いたビニール紐及びロープの長さ調節手段を開示している。
【特許文献１】特開平８−７０７０８号公報
【特許文献２】特開２００５−１７１４２２号公報
【考案の概要】
【考案が解決しようとする課題】
【０００４】
しかるに、ロープ又はワイヤーの長さを調節するためにロープ又はワイヤーの長さを切断することは、ロープ又はワイヤーによっては困難であり、体裁面でも好ましくない。また、ロープ又はワイヤーを短く切断した場合には、該ロープ又はワイヤーを使用長さの異なる用途に再使用することができなくなることもある。
又、ヘビ口（輪）を作る場合カシメ具及びカシメ専用の道具がいる。
編みこみをする場合にも、相当の技術が必要とされるし、これも又、専用の道具が必要とされる。
特許文献２では、平紐及びビニールテープは可能だが、ロープ又はワイヤーでは、体裁面は、よくなく、太めの物では、収まりがつきにくい。
【課題を解決するための手段】
【０００５】
本願発明は請求項１として、ベース板の面に、６個以上のロープ又はワイヤーを通すための貫通孔を設けたロープ又はワイヤーの滑り止め部材である。
【０００６】
請求項２はベース板の表面、又は６個以上の貫通孔の内面は滑り止を強化する為の肌荒し加工を施した滑り止め部材である。
【考案の効果】
【０００７】
本発明によれば、ロープ又はワイヤーを切断し若しくは縛ることなく、一つの部材で、簡単且つ、特別な道具を使用する事なく、ロープ又はワイヤーの長さを調整したり、ヘビ口を作ることができる。
【０００８】
ロープ又はワイヤーの強度にあわせ、ベース板の材質を、金属、他の硬質財を選択することによって、価格のコストダウンができる。
【図面の簡単な説明】
【０００９】
【図１】本発明品の斜視図
【図２】使用状態を示す斜視図
【図３】本発明の他の実施例を示す斜視図
【図４】本発明の他の実施例を示す斜視図
【考案を実施するための形態】
【００１０】
図１のベース板２は、長方形型又は楕円形等任意に選ぶことができるものであり、板状の面を摩擦力を高める為にロープ又はワイヤーの当たる面を肌荒し加工したりして形成すると良い。尚、ベース板２の角の鋭角部分においては丸みを負わせる様に面取り加工して形成する。
【００１１】
ベース板はロープ又はワイヤーを通す程度の太さに合わせた６個の貫通孔３及び図４に示すように複数の切欠き孔４のベース板に形成する。
ベース板の貫通孔３及び複数の切り欠き孔４の孔の大きさは使用するロープ又はワイヤーを通す程度の大きさに形成する。
【００１２】
図３に示すようにベース板２にはロープ又はワイヤーを誘導しやすくするために通す程度の太さに合わせた凹溝５をクロス状に複数本加工形成すると良い。
又、ベース板２の側面に波型６のギザギザを設けると持ちやすく作業がしやすくなる為にギザギザを設けて形成すると良い。
【００１３】
ベース板２は図４に示すようにロープ又はワイヤーを誘導しやすくするために通す程度の太さに合わせた切り欠き孔４を複数本、例えば、この例では６つの内の２つの孔に加工し形成する。
【実施例】
【００１４】
図１は本発明の滑り止め部材１の斜視図である。滑り止め部材１の構造は、板状の長方形型又は楕円形等任意に形成すると良い。長さは滑り止め部材１の長手方向に３個の貫通孔が２列に並ぶ為使用するロープ又はワイヤーの直径の３倍より長くし、幅は、滑り止め部材１の横手方向に２個の貫通孔３が並ぶので２倍より広くする。厚みは使用目的及び材質に応じて異なるがロープ又はワイヤーを引っ張った際に変形しない厚み及び強度を必要とする。
【００１５】
図１、３，４のベース板２の作り方は材質により異なるが、金属の場合、成型、型抜き、切断、研磨等の方法がある。寸法は滑り止め部材１の長手方向に３個の貫通孔３または切り欠き孔４であっても良く、これらが並ぶ為使用するロープ又はワイヤーの直径の３倍より長くし、幅は、滑り止め部材の横手方向に２個の貫通孔３又は切り欠き孔４が並ぶので２倍より広くする。厚みは使用目的及び材質に応じて異なるがロープ又はワイヤーを引っ張った際に変形しない厚み及び強度を必要とする。
【００１６】
他の硬質材、例えば、プラスチック、樹脂材、ゴム材その他使用可能な材質の場合、成型、型抜き、切断、研磨等の方法がある。寸法は滑り止め部材１の長手方向に３個の貫通孔３または切り欠き孔４が並ぶ為使用するロープ又はワイヤーの直径の３倍より長くし、幅は、滑り止め部材の横手方向に２個の貫通孔又は切り欠き孔が並ぶので２倍より広くする。厚みは使用目的及び材質に応じて異なるがロープ及びワイヤーを引っ張った際に変形しない厚みを必要とする。
【００１７】
図１、３、４の貫通孔３又は切り欠き孔４、凹溝５、波型６を加工する場合、パンチング、ドリル、成型、研磨その他の方法がある。表面は摩擦力を高める為に肌荒しに加工すると一層良い。
【００１８】
図２において、滑り止め部材１に（ア）の貫通孔にロープ又はワイヤー（キ）を必要な長さ分通し（ア）を通した面の反対側から（イ）通し（ウ）へ（ア）と同じ面から通す、再び必要な長さを確認し、ヘビ口を作るようにして（エ）に（ウ）へ通した反対側の面から通す。その後、（オ）へ反対側の面から通し（カ）へ（オ）に通した反対側の面から通す。最後に（カ）から出たロープ又はワイヤーの先端（キ）を（ア）から（イ）に渡るロープ及びワイヤーの下にくぐらすとより一層、摩擦力が増し強固にヘビ口（輪っか）を作ることができる。
【００１９】
貫通孔３は図１に示すような丸穴でも良く、又図４に示すように使用しやすいように切欠き孔４としても良い。
【００２０】
貫通孔３を６個以上としたのは６個以下ではロープ又はワイヤーを通した際に摩擦力が少なくなり、ロープ又はワイヤーが滑り抜ける可能性が高くなるためである。
【００２１】
貫通孔は６個以上としてあるが、使用するロープ又はワイヤー、使用する意図に合わせてなるべく少なくした方が加工コストの抑制になる。
又、作業性においても少ない時間でロープ又はワイヤーの長さ調整をしたりヘビ口（輪っか）を作ることができる。
【産業上の利用可能性】
【００２２】
ロープ及びワイヤーロープ業界において利用できる。
アウトドア商品業界において利用できる。
その他色々な業界に利用できる。
【符号の説明】
【００２３】
１  滑り止め部材
２  ベース板
３  貫通孔
４  切り欠き孔
５  凹溝
６  波型
７  ヘビ口（輪っか）
【図１】
0003167806.tif 000003
【図２】
0003167806.tif 000004
【図３】
0003167806.tif 000005
【図４】
0003167806.tif 000006